(57)【要約】【課題】  簡単な構成で、ＩＰ電話の通信の品質を確保する。【解決手段】  通信制御装置１０は、複数の電話機をＩＰネットワークを介して通話可能に接続する通信部３３と、複数の電話機からＤＴＭＦ信号を受信するＤＴＭＦ信号受信部１７と、ＤＴＭＦ信号を受信したとき、当該ＤＴＭＦ信号を発信した電話機３を判別する判定部２１と、ＤＴＭＦ信号を発信した電話機３を優先してＩＰネットワーク１への接続を制御する制御部２７と、を備える。【選択図】  図１
2006005713.tif 000002
【特許請求の範囲】
【請求項１】
複数の電話機をＩＰネットワークを介して通話可能に接続する接続部と、
前記複数の電話機から優先信号を受信する受信部と、
前記優先信号を受信したとき、当該優先信号を発信した電話機を判別する判別部と、
前記優先信号を発信した前記電話機を優先して前記ＩＰネットワークへの接続を制御する制御部と、
を備えたことを特徴とする通信制御装置。
【請求項２】
請求項１に記載の通信制御装置において、
前記優先信号は、前記電話機から発信されたＤＴＭＦ信号であることを特徴とする通信制御装置。
【請求項３】
請求項１または２に記載の通信制御装置において、
他の通信装置を前記ＩＰネットワークに接続し、通信する通信部と、
前記受信部で前記優先信号を受信したとき、前記通信部での前記他の通信装置の通信を制限する通信制御部と、
を備えたことを特徴とする通信制御装置。
【請求項４】
請求項１乃至３いずれかに記載の通信制御装置において、
前記電話機から発呼を受け付ける発呼受付部と、
前記判別部で判別された前記優先信号を発信した前記電話機以外の他の電話機からの新たな発呼の受け付けを禁止する発呼禁止部と、を含むことを特徴とする通信制御装置。
【請求項５】
請求項１乃至４いずれかに記載の通信制御装置において、
前記電話機への着呼を受け付ける着呼受付部と、
前記判別部で判別された前記優先信号を発信した前記電話機以外の他の電話機への新たな着呼の受け付けを禁止する着呼禁止部と、を含むことを特徴とする通信制御装置。
【請求項６】
請求項１または２に記載の通信制御装置において、
前記優先信号は、複数の信号からなり、前記優先信号と、前記他の電話機の前記ＩＰネットワークへの接続を制限する処理と、を対応付けて処理テーブルに登録する登録部と、
前記受信部で受信した前記優先信号を識別する識別部と、
前記識別部で識別された前記優先信号から前記処理テーブルに基づいて、前記処理を判別する処理判別部と、
を備え、
前記制御部は、前記処理判別部で判別された前記処理に基づいて、前記電話機と前記ＩＰネットワークへの接続を制御することを特徴とする通信制御装置。
【発明の詳細な説明】
【技術分野】
【０００１】
本発明は、通信制御装置に関し、特に、複数の電話機をＩＰネットワークを介して通話可能に接続する通信制御装置に関する。
【背景技術】
【０００２】
近年、音声をＩＰネットワーク上で送受信するＶｏＩＰ技術の進歩により、ＩＰ電話の実用化が進んでいる。ＩＰ電話では、通信回線の速度によりその音質が低下する場合がある。特に、複数の電話機をＩＰネットワークを介して通話可能に接続するＶｏＩＰアダプタなどは、電話機以外にパーソナルコンピュータなどの通信装置も接続可能な場合も多く、その場合、通話や通信が集中すると、通信回線の速度が低下してしまう。
【０００３】
このような通信システムにおいて、そのパケット通信網内のサーバと通信を行う際にその受ける通信サービスの品質を表すＱｏＳ（Quality of Service）のパラメータ（最大ビットレート、パケット誤り率など）を設定することができるシステムが提案されている。
【０００４】
特許文献１には、ユーザの希望にあった品質での通信サービスを受けることができるようにした通信端末装置が開示されている。この通信端末装置では、所定のネットワークを介して通信を行うに際し、ユーザの要求する通信サービスの品質を示す要求ＱｏＳの各パラメータの設定が可能である。この通信端末装置は、要求ＱｏＳおよびネットワークの状態に基づいてネットワーク側にて決定された決定ＱｏＳと、要求ＱｏＳと、が異なる場合に、通信を継続するか切断するかのいずれかをユーザの意志に基づいて選択する通信制御手段を有する。
【特許文献１】特開２００１−３５２３６４号公報
【発明の開示】
【発明が解決しようとする課題】
【０００５】
ところで、ＩＰ電話のようにディジタル音声データをリアルタイムに通信する必要がある通信システムでは、通信品質の確保は最大の課題であり、高品質の音声での通信サービスの提供が望まれる。
【０００６】
本発明は、上記背景の下でなされたものであり、その目的は、簡単な構成で、ＩＰ電話の通信の品質を確保できる通信制御装置を提供することにある。
【課題を解決するための手段】
【０００７】
本発明の通信制御装置は、複数の電話機をＩＰネットワークを介して通話可能に接続する接続部と、前記複数の電話機から優先信号を受信する受信部と、前記優先信号を受信したとき、当該優先信号を発信した電話機を判別する判別部と、前記優先信号を発信した前記電話機を優先して前記ＩＰネットワークへの接続を制御する制御部と、を備える。
【０００８】
ここで、通信制御装置は、ＶｏＩＰ（Voice over Internet Protocol）アダプタなどであり、インターネットなどのＩＰネットワークを介して音声を伝送するＩＰ電話を実現するための装置である。すなわち、通信制御装置は、電話機からの音声信号をディジタル変換し、ＩＰパケット化し、ＩＰネットワークに送出するとともに、ＩＰネットワーク経由で受信したＩＰパケットを復号し、音声信号を電話機に伝達することによりＩＰ電話を実現する。
【０００９】
また、優先信号は、たとえば、通話前または通話中などに電話機から発信された信号であり、電話機が自身の通話を優先し、他の電話機の通話を制限する場合に発信する。また、ここで、電話機とは、電話回線を示す。一つの電話機で複数の電話回線が接続可能な場合、個々の電話回線を意味する。この優先信号を受けて通信制御装置は、通信を制御する。
【００１０】
この発明によれば、電話機からの優先信号によって他の電話機のＩＰネットワークへの接続を制御し、接続を優先する電話機を指定することができるので、電話機側から他の電話機での通話を制御でき、通話前または通話中の電話機の通信品質を確保することができる通信制御装置が提供される。
【００１１】
上記通信制御装置において、前記優先信号は、前記電話機から発信されたＤＴＭＦ信号とすることができる。
【００１２】
この構成によれば、電話機からＤＴＭＦ信号を優先信号として発信させてＩＰネットワークとの通信を制御することができるので、通話前または通話中に電話機側から随時発信された信号を受信し、通信の制御を行うことができる。これにより、通話前または通信中に電話機側から簡単に通信制御を行うことができ、通信品質を確保することができる。また、ＤＴＭＦ信号は、１６種類の信号を表現することができるので、発信された信号に応じて、通信の制御方法を区別することができる。
【００１３】
上記通信制御装置において、他の通信装置を前記ＩＰネットワークに接続し、通信する通信部と、前記受信部で前記優先信号を受信したとき、前記通信部での前記他の通信装置の通信を制限する通信制御部と、を備えることができる。
【００１４】
ここで、他の通信装置は、通信制御装置を経由してＩＰネットワークに接続する通信装置であり、たとえば、パーソナルコンピュータやインターネットファクシミリ装置などである。
【００１５】
この構成によれば、電話機からの優先信号によって、コンピュータなどの通信を切断することにより、通信制御装置とＩＰネットワーク間の通信量を制限でき、電話機の通話時の品質を確保することができる。
【００１６】
上記通信制御装置において、前記電話機から発呼を受け付ける発呼受付部と、前記判別部で判別された前記優先信号を発信した前記電話機以外の他の電話機からの新たな発呼の受け付けを禁止する発呼禁止部と、を含むことができる。
【００１７】
この構成によれば、通話前または通話中に電話機から優先信号が発信されたとき、他の電話機からの新たな発呼を禁止することができるので、通話前または通話中の電話機の通信品質を確保することができる。
【００１８】
上記通信制御装置において、前記電話機への着呼を受け付ける着呼受付部と、前記判別部で判別された前記優先信号を発信した前記電話機以外の他の電話機への新たな着呼の受け付けを禁止する着呼禁止部と、を含むことができる。
【００１９】
この構成によれば、通話前または通話中に電話機から優先信号が発信されたとき、他の電話機への新たな着呼を禁止することができるので、通話前または通話中の電話機の通信品質を確保することができる。
【００２０】
上記通信制御装置において、前記受信部で受信した前記ＤＴＭＦ信号を識別する識別部と、前記ＤＴＭＦ信号と、前記他の電話機の前記ＩＰネットワークへの接続を制限する処理と、を対応付けて処理テーブルに登録する登録部と、前記識別部で識別された前記ＤＴＭＦ信号から前記処理テーブルに基づいて、前記処理を判別する処理判別部と、を備えることができ、前記制御部は、前記処理判別部で判別された前記処理に基づいて、前記電話機と前記ＩＰネットワークへの接続を制御することができる。
【００２１】
この構成によれば、簡単な構成で、通話中の電話機の通信の品質を確保することができる。
【００２２】
なお、以上の構成要素の任意の組合せ、本発明の表現を方法、装置、システム、記録媒体、コンピュータプログラムなどの間で変換したものもまた、本発明の態様として有効である。
【発明の効果】
【００２３】
上述のように、本発明によれば、簡単な構成で、ＩＰ電話の通信の品質を確保できる通信制御装置が提供される。
【発明を実施するための最良の形態】
【００２４】
以下、本発明の実施の形態を図面を参照して説明する。
【００２５】
図１は、本実施の形態の通信制御装置の構成を示す機能ブロック図である。通信制御装置１０は、複数の電話機３が接続され、インターネットなどのＩＰネットワーク１を介して他の通信端末（不図示）と通話可能に接続する。通信制御装置１０は、たとえば、ＶｏＩＰアダプタなどである。通信制御装置１０は、さらに、ＬＡＮなどのネットワーク（図中「ＬＡＮ」と示す）５を介してパーソナルコンピュータやインターネットファクシミリ装置などの通信装置（図中、「ＰＣ」と略す）７と接続され、通信装置７をＩＰネットワーク１に接続させる。このように通信制御装置１０は、ルータ機能も有する。
【００２６】
なお、図１において、本発明の本質に関わらない部分の構成については省略してあり、たとえば、ＶｏＩＰアダプタの構成であるＡ／Ｄ変換部、符号化部、パケット組立部、パケット分解部、復号部、およびＤ／Ａ変換部などは図示されていない。
【００２７】
また、通信制御装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
通信制御装置１０は、音声信号送受信部１１と、音声処理部１３と、ＮＣＵ（Network Control Unit）１５と、ＤＴＭＦ信号受信部１７と、呼制御部１９と、判定部２１と、処理テーブル記憶部（図中、「処理テーブル」と示す）２３と、フラグ記憶部（図中、「フラグ」と示す）２５と、制御部２７と、通信部３１と、通信部３３と、を含む。
【００２９】
音声信号送受信部１１は、ＮＣＵ１５を介して電話機３と音声信号を送受信する。音声処理部１３は、音声信号送受信部１１を介して電話機３から受信した音声信号をＡＤ変換し、符号化し、ＩＰパケット化するとともに、ＩＰネットワーク１を介して受信した音声データを復号化し、ＤＡ変換して電話機３に音声信号送受信部１１を介して送信する。ＮＣＵ１５は、電話機３への発着呼の制御やダイヤル制御などの接続の制御を行うとともに音声信号送受信部１１および電話機３の間における音声信号の送受信の中継を行う。
【００３０】
ＤＴＭＦ信号受信部１７は、各電話機３でのダイヤル操作によって発信された通信制御信号をＮＣＵ１５を介して受信する。この通信制御信号とは、ユーザが自分の通話を優先させて行いたい場合に、ダイヤル操作を行うことにより発信される。ここで、通信制御信号は、電話機３のダイヤル操作ボタン（不図示）を操作したとき発信されるＤＴＭＦ信号である。以後、通信制御信号をＤＴＭＦ信号と呼ぶ。ＤＴＭＦ信号は、１つのボタン操作で、２種類の高さの音が発信されるようになっており、電話機３のボタンで合計１６種類を表現できる。
【００３１】
呼制御部１９は、各電話機３の状態監視と制御をＮＣＵ１５を介して行う。たとえば、各電話機３からの発信、および電話機３への着信の制御を行う。呼制御部１９は、発呼受付部４１と、発信部４３と、着呼受付部４５と、着信部４７と、を含む。
【００３２】
発呼受付部４１は、各電話機３からの発呼をＮＣＵ１５を介して受け付ける。また、発呼受付部４１は、各電話機３からの発呼を受け付けられない場合、各電話機３に接続ができないことを通知する。たとえば、不通通知音をＮＣＵ１５を介して送信する。発信部４３は、発呼受付部４１で受け付けた発呼をＩＰネットワーク１上の呼制御サーバ（不図示）に対して接続要求を発信する。着呼受付部４５は、ＩＰネットワーク１の呼制御サーバから電話機３への着呼を受け付ける。着信部４７は、着呼受付部４５で受け付けた着呼に基づいて、該当する電話機３に着信信号をＮＣＵ１５を介して発信する。また、着信部４７は、着呼を受け付けられない場合、ＩＰネットワーク１上の呼制御サーバに対して応答拒否を通知する。
【００３３】
判定部２１は、ＤＴＭＦ信号受信部１７で受信したＤＴＭＦ信号が、どの電話機３から発信されたかを判定するとともに、ＤＴＭＦ信号の判別を行う。本実施の形態の通信制御装置１０は、このＤＴＭＦ信号を発信した電話機３の通話を優先するように通信制御処理を行う。たとえば、電話機３から発信されるＤＴＭＦ信号による通信制御処理は、発呼禁止処理、着呼禁止処理、通信制限処理などがある。発呼禁止処理は、ＤＴＭＦ信号を発信した電話機３が通話中に他の電話機３からの発呼の受け付けを禁止する。着呼禁止処理は、ＤＴＭＦ信号を発信した電話機３が通話中に他の電話機３への着呼の受け付けを禁止する。通信制限処理は、ＤＴＭＦ信号を発信した電話機３が通話中に通信装置７のデータ通信を制限する。このように通信制御処理を行うことにより、通話中の電話機３の音声品質を確保することが可能となる。処理テーブル記憶部２３は、ＤＴＭＦ信号と、通信制御装置１０の通信制御処理と、を対応付けて記憶する。
【００３４】
図２に、処理テーブル記憶部２３に記憶される処理テーブルの一例を示す。本実施の形態において、４種類のＤＴＭＦ信号と、該当する通信制御処理と、が対応付けて記憶されている。たとえば、「００００」というＤＴＭＦ信号を受信した場合、他の電話機３からの発呼を禁止する発呼禁止処理を行う。また、ＤＴＭＦ信号「１１１１」は、他の電話機３への着呼を禁止する着呼禁止処理を行う。また、ＤＴＭＦ信号「２２２２」は、通信装置７のデータ通信を制限する通信制限処理を行う。さらに、ＤＴＭＦ信号「９９９９」は、上記の通信制御処理を解除する。
【００３５】
図１に戻り、判定部２１は、ＤＴＭＦ信号受信部１７で受信したＤＴＭＦ信号を判別し、各通信制御処理に該当するフラグをセットする。すなわち、ＤＴＭＦ信号「００００」の場合は、発呼禁止フラグをセットする。ＤＴＭＦ信号「１１１１」の場合は、着呼禁止フラグをセットする。ＤＴＭＦ信号「２２２２」の場合は、通信制限フラグをセットする。これらのフラグは電話機３毎に設けられ、該当する電話機３の通話前および通話中にセット可能であり、電話機３の一通話毎にリセットされる。また、ＤＴＭＦ信号「９９９９」の場合は、発呼禁止フラグ、着呼禁止フラグ、および通信制限フラグをリセットする。
【００３６】
制御部２７は、各電話機３とＩＰネットワーク１上の通信装置との通話を制御するとともに、ネットワーク５上の各通信装置７とＩＰネットワーク１上の通信装置との通信を制御する。制御部２７は、フラグ記憶部２５を参照し、通信制限フラグがセットされている場合は、ネットワーク５上の各通信装置７とＩＰネットワーク１上の通信装置との通信を制限する。
【００３７】
通信部３１は、ネットワーク５上の通信装置７と通信制御装置１０とのインタフェース部である。通信部３３は、ＩＰネットワーク１上の通信装置と通信制御装置１０とのインタフェース部である。
【００３８】
なお、図１において、電話機３の構成である受話器（スピーカ、マイク）などは省略してある。
【００３９】
電話機３は、ユーザがダイヤルボタン（不図示）を操作したとき、ダイヤル信号を受け付け、通信制御装置１０に対して発信する。ここで、ユーザは、電話番号の入力操作や、ＤＴＭＦ信号の入力操作を行う。
【００４０】
また、電話機３は、マイクで集音された音声を通信制御装置１０に送信するとともに、通信制御装置１０から送信された音声信号を受信し、スピーカに出力する。
【００４１】
図３は、通信制御装置１０のＤＴＭＦ信号受信時の動作を示すフローチャートである。
【００４２】
まず、ＤＴＭＦ信号受信部１７がＤＴＭＦ信号を受信すると（Ｓ１１のＹＥＳ）、判定部２１は、どの電話機３からＤＴＭＦ信号が発信されたか判別する（Ｓ１３）。つづいて、判定部２１は、処理テーブル記憶部２３を参照し（Ｓ１５）、該当する通信制御処理を行うために該当する通信制御フラグをセットする（Ｓ１７）。たとえば、「００００」というＤＴＭＦ信号を受信した場合は、発呼禁止フラグをセットする。ＤＴＭＦ信号「１１１１」を受信した場合は、着呼禁止フラグをセットする。ＤＴＭＦ信号「２２２２」を受信した場合は、通信制限フラグをセットする。また、ＤＴＭＦ信号「９９９９」を受信した場合は、発呼禁止フラグ、着呼禁止フラグ、通信制限フラグをリセットする。
【００４３】
その後、通信制御装置１０は、通信制御処理に移る（Ｓ１９）。通信制御処理については、後述する。通信制御処理は、上記通信制御フラグのいずれかがセットされている場合に実施される。なお、ＤＴＭＦ信号「９９９９」を受信し、通信制御フラグがリセットされた場合は、そのまま処理を終了する。
【００４４】
図４は、通信制御装置１０の通信制御処理の動作を示すフローチャートである。
【００４５】
まず、発呼受付部４１が、電話機３から発呼を受け付けると（Ｓ２１）、発呼禁止中か否かを判定する（Ｓ２３）。発呼受付部４１は、フラグ記憶部２５を参照し、発呼禁止フラグがセットされているか否かにより判定を行う。発呼禁止中は（Ｓ２３のＹＥＳ）、発呼禁止フラグがセットされており、発呼受付部４１は、電話機３に接続ができないことを通知する（Ｓ２５）。発呼禁止中でない場合（Ｓ２３のＮＯ）、すなわち発呼禁止フラグがセットされていない場合、発信部４３は、電話機３からの発呼を受け付け、通信部３３を介してＩＰネットワーク１上の呼制御サーバに対して接続要求を発信する（Ｓ２７）。
【００４６】
つづいて、着呼受付部４５が、ＩＰネットワーク１上の呼制御サーバから電話機３への着呼を受け付けると（Ｓ３１）、着呼禁止中か否かを判定する（Ｓ３３）。着呼受付部４５は、フラグ記憶部２５を参照し、着呼禁止フラグがセットされているか否かにより判定を行う。着呼禁止中は（Ｓ３３のＹＥＳ）、着呼禁止フラグがセットされており、着呼受付部４５は、通信部３３を介してＩＰネットワーク１上の呼制御サーバに対して応答拒否を通知する（Ｓ３５）。着呼禁止中でない場合（Ｓ３３のＮＯ）、すなわち着呼禁止フラグがセットされていない場合、着信部４７は、電話機３への着呼を受け付け、該当する電話機３に対して着信信号を発信する（Ｓ３７）。
【００４７】
つづいて、制御部２７は、通信部３１でネットワーク５上の通信装置７からＩＰネットワーク１に対するデータ通信が行われているか否かを判定する（Ｓ４１）。データ通信中またはデータ通信要求がある場合（Ｓ４１のＹＥＳ）、制御部２７は、通信制限中であるか否かを判定する（Ｓ４３）。制御部２７は、フラグ記憶部２５を参照し、通信制限フラグがセットされているか否かによる判定を行う。通信制限中は（Ｓ４３のＹＥＳ）、通信制限フラグがセットされており、制御部２７は、通信部３１のデータ通信を制限する（Ｓ４５）。通信制限中でない場合（Ｓ４３のＮＯ）、すなわち通信制限フラグがセットされていない場合、通信部３１はデータ通信を行う（Ｓ４７）。なお、以上の通信制御処理は、通話中繰り返し実行される。
【００４８】
以上説明したように、本実施の形態によれば、電話機３からのＤＴＭＦ信号によって他の電話機のＩＰネットワーク１への接続を制御し、接続を優先する電話機３を指定することができるので、電話機３側から他の電話機３での通話を制御でき、通話前または通話中の電話機３の通信品質を確保することができる通信制御装置１０が提供される。また、電話機３からのＤＴＭＦ信号によって、通信装置７などの通信を切断することにより、通信制御装置１０とＩＰネットワーク１間の通信量を制限でき、電話機３の通話時の品質を確保することができる。
【００４９】
以上に本発明の好適な実施の形態を説明した。しかし、本発明は上述の実施の形態に限定されず、当業者が本発明の範囲内で上述の実施の形態を変形可能なことはもちろんである。
【００５０】
たとえば、上記実施の形態において、電話機３は、音声のみを送受信する構成としていたが、電話機３は、テレビ電話のように、音声と映像を送受信して映像を表示しながら通話を行う構成とすることもできる。この場合、通信制御装置１０は、映像信号送受信部と、映像処理部と、をさらに備える。この構成によれば、テレビ電話などで通話前または通話中に電話機側から随時発信された通信制御信号によって、通信の制御を行うことができ、通信品質を確保することができる。
【００５１】
また、上記実施の形態において、通信制御信号は、各電話機３の発呼および着呼を禁止していたが、さらに電話機３を指定して発呼および着呼を禁止する構成とすることもできる。この場合、たとえば、処理テーブル記憶部２３は、ＤＴＭＦ信号に電話機３の識別番号と、通信制御処理と、を対応付けて登録した処理テーブルを記憶する。たとえば、４桁のＤＴＭＦ信号のうち、上位２桁を電話機３の識別番号に対応させ、下位２桁を通信制御処理に対応させるようにしてもよい。また、ＤＴＭＦ信号の桁数は４桁に限定されない。
【００５２】
さらに、電話機３が音声および映像を送受信する構成の場合、通信制御信号は、映像の送受信のみを制限する構成とすることもできる。この場合、通信制御処理は、たとえば、映像を含む通話を禁止する処理と、すべての通話を禁止する処理と、を含むことができる。映像を含む通話を禁止するＤＴＭＦ信号を受信したとき、電話機３から発呼があった場合に、発呼受付部４１はその通話が映像を含む通話か否かを判定する。映像を含む通話の場合は、発呼受付部４１は、電話機３に接続ができないことを通知する。あるいは、発呼受付部４１は、音声のみの通話を許可する。
【００５３】
この構成によれば、たとえば、テレビ電話などの通信負荷が大きい通話を選択的に制限することが可能となる。
【産業上の利用可能性】
【００５４】
本発明にかかる通信制御装置は、簡単な構成で、ＩＰ電話の通信の品質を確保できるという効果を有し、複数の電話機をＩＰネットワークを介して通話可能に接続する通信制御装置等として有用である。
【図面の簡単な説明】
【００５５】
【図１】本実施の形態の通信制御装置の構成を示す機能ブロック図である。
【図２】図１の通信制御装置の処理テーブルの一例を示す図である。
【図３】図１の通信制御装置のＤＴＭＦ信号受信時の動作を示すフローチャートである。
【図４】図１の通信制御装置の通信制御処理の手順を示すフローチャートである。
【符号の説明】
【００５６】
１  ネットワーク
３  電話機
５  ネットワーク
７  通信装置
１０  通信制御装置
１１  音声信号送受信部
１３  音声処理部
１５  ＮＣＵ
１７  ＤＴＭＦ信号受信部
１９  呼制御部
２１  判定部
２３  処理テーブル記憶部
２５  フラグ記憶部
２７  制御部
３１  通信部
３３  通信部
４１  発呼受付部
４３  発信部
４５  着呼受付部
４７  着信部
【図１】
2006005713.tif 000003
【図２】
2006005713.tif 000004
【図３】
2006005713.tif 000005
【図４】
2006005713.tif 000006